(57)【要約】【課題】いつでも、どこででもゴルフとかゲ−トボ−ル等の練習が出来る簡易，携帯的で且つ効果的な練習器を提供しようとするものである。【解決手段】ゴルフクラブは一つの面内に在るようにスイングされ、この面と地面との交線がボ−ルの軌跡となるものである。このためゴルフクラブのスイングされるべき面を光学的に規定する光束を発射する投光器を用い、この投光器から発射される光束のゴルフクラブ或はボ−ルからの反射光が常に検出されるようにクラブをスイングすることに努めることでゴルフ等の練習が可能となる。この投光器は半導体レ−ザを光源とし、円柱レンズを通して扇形に広がる扁平光束を発射する構成で、小型であり従って携帯に便利、場所をとらず、いつでもどこででも練習が出来、しかもレ−ザ−光のクラブからの反射光の有無によりスイングの適否が直ちに練習者にフィ−ドバックされるから練習の効果が高められるようになる。【選択図】　図１
0003098202.tif 000002
【実用新案登録請求の範囲】
【請求項１】
半導体レ−ザを光源とし、その発光光束を円柱レンズを通して扇形に広がる扁平な光束として放射し光の面を形成する投光器よりなるゴルフ等の練習器。
【請求項２】
扁平な光束を放射して光の面を形成する投光器の上記光の面の広がり角を規制する窓をこの広がり方向に移動可能にした請求項１記載のゴルフ等の練習器。
【請求項３】
前記投光器の光束発射窓の近辺に、この光束の反射光を受光する光センサを設け、この光センサの受光信号の有無を音に変換する手段を内蔵させた請求項１，２記載のゴルフ等の練習器。
【請求項４】
前記投光器に水準器を付設した請求項１，２，３記載のゴルフ等の練習器。
【考案の詳細な説明】
【０００１】
【考案の属する技術分野】
本考案は光のビ−ム投光装置を用いたゴルフ等の練習器、特にパタ−等の振り方を練習するゴルフ練習器に関する。こゝでゴルフ等と云うのは、ゴルフの他ゲ−トボ−ルのように玉を打つ競技、今後現われるであろう同様の競技の練習にも適用できるからである。
【０００２】
【従来の技術】
従来から光を用いたゴルフの練習装置として多数のものが提案されている。これらのゴルフ練習装置は次の二種類に大別できる。其の一つは投光手段をゴルフクラブに装着するものであってこれが多数派である（例えば特許文献１）。他の一つは投光器を地面等に置くものである（例えば特許文献２，３）。
【０００３】
【特許文献１】
特開平８−２９９５２４号公報
【特許文献２】
特表２００２−５０９７８０号公報
【特許文献３】
特表２００３−５０３１２１号公報
【０００４】
【考案が解決しようとする課題】
本考案は投光器を地面等に置く型に属するゴルフ等の練習器であるが、この型に属する従来例の特許文献２，３に記載された装置は投光器と受光器で光の面を形成し、ゴルフボ−ルがこの面の何処を貫通するかを検出し、解析手段によってボ−ルの軌道を算出してその適否を表示手段で事後的に練習者に知らせると言うもので、クラブスイング中に瞬間瞬間にその動きを練習者にフィ−ドバックするものでないから練習者には自分の癖が中々分からず、装置として複雑な割に練習の効果が上がらないと言う問題があった。
そこで本考案は構造簡単かつ安価でクラブスイング中にクラブの動きが練習者にフィ−ドバックされる練習器を提供しようとするものである。
【０００５】
【課題を解決するための手段】
半導体レ−ザを光源とし、円柱形レンズによって扁平で扇形に広がる光束を形成して投射せしめるようにした投光器と傾きを調節できる脚を備えた器具を提供する。
【０００６】
【作用】
投光器から放射される扇形扁平な光束の扇面を垂直になるようにして前方を照射すると、この光束と地面との交線が地面に細い光の線像として投射される。この投射光束内にゴルフボ−ルを置くとボ−ルにも光の線が当たって、ボ−ルが光束内に置かれていることが目視できる。光束の前方に的を置いておくと、的にも光の線像が投射されているので、それを目標にパタ−を振り、ボ−ルを打つと、パタ−にも上記光束が当たって反射光が眼に入るから、パタ−が光束から外れないように注意すれば、パタ−は自ずから光束上を直線的に振られボ−ルは的に向かって転動することになる。
つまり通常はパタ−の振りの軌跡が曲がっていても軌跡の方向が的から外れていても、そのことは分からず、ボ−ルが思うように走らないと言う結果だけから自分の癖を推定して直すと言う練習方法になるが、本考案の器具を用いれば、パタ−からの反射光が眼に入らなければパタ−が正しい軌跡から外れたと分るから結果の原因がパタ−を振っている瞬間に自覚できて直ちに自分の癖を匡正でき、練習が効果的に出来るのである。
【０００７】
【考案の実施の形態】
図１は本考案の一実施形態の全体を示す斜視図で、Ａが投光器、Ｂが的、Ｃはホ−ルカップで、Ｄはパッティング練習用のマットである。このうち本考案の対象物は投光器Ａと的Ｂであるが、的Ｂは無くてもよい。鎖線Ｆは投光器Ａから放射されている光束で縦方向に約７５°の広がり角を有する扇形扁平な光束であって、この光束はマットＤ上に線状の光像ｈを投影しており、また前方の的Ｂには光像ｈの延長である垂直線光像ｖを投影している。光束ＦはまたマットＤ上に置かれたゴルフボ−ルＧにも投射されてボ−ル上に光の線像が現われている。
【０００８】
練習する人がパタ−のヘッドＰをボ−ルＧに後に置くと、投光器Ａの発する光束Ｆがヘッドの後に当たる。ヘッドの後面のスイ−トスポットにパタ−フェイスに直交する方向に白いテ−プＴを貼っておくと、光束Ｆの一部が反射して練習者の眼に入るから、パタ−が正しい位置に入っていることが分かる。こゝでテ−プＴからの反射光が途切れないようにパタ−を振ると、パタ−は正しく振られてボ−ルＧを投光器Ａの発するビ−ムＦに沿って転動させることが出来る。またボ−ルが的に向かって正しい軌跡を採っているときはボ−ルにもビ−ムＦが当たっているからパタ−が旨く振られたことが分る。逆にパタ−やボ−ルが正しい軌跡から外れると、テ−プＴ或はボ−ルＧからの反射光が途絶えるから、練習者は自分の癖が分かって匡正することができる。
【０００９】
図２は上述投光器Ａの詳細を示す。１が半導体レ−ザで、レ−ザ光は集光レンズ２、円柱レンズ３を通って扁平で扇形に広がる光束Ｆを形成する。４は半導体レ−ザ１，集光レンズ２，円柱レンズ３等を保持する鏡筒である。５はベ−スで合成樹脂により一体成型されており、前後二つの起立壁５１，５２を有して、前側の起立壁５１の孔に上記鏡筒４が嵌入固定されている。後側の起立壁５２の前面にアングル６が取付けられ、このアングルの上部に押しボタン型の電源スイッチ７が取付けられている。起立壁５２の背面に電池ボックス８が取付けられ、単３電池２個が収納される。９は半導体レ−ザ点灯回路基板である。ベ−ス５の下面には三脚を取付けるナット１０が固着してある。使用時には雲台付きの三脚（カメラ用で可）を取付ける。三脚無しでも適当な台の上に置いて使えば良い。
【００１０】
図３は投光器Ａの平面図で、全体は前方が狭い形になっている。１１はカバ−で、前面に窓１２が設けられており、レ−ザ光束Ｆの広がり角を規制している。円柱レンズ３から出射する光束の広がり角は１００°以上であるので、これを上方３０°下方４５°位の範囲に規制しているが、窓１２自身はカバ−前面で上下に摺動可能であり、光束Ｆの投光方向を上下に多少調節できる。三脚は脚の開き方で傾が調節出来るから、特に雲台付きでなくても良い。光束Ｆを前方の壁等に当て、投影される光の線が垂直になるように目分量で投光器の傾きを調整すれば良く、特に厳密に垂直にしなくても充分である。但し図２で鎖線で示した位置に水泡式の水準器Ｌを設けることは任意である。
【００１１】
図４は本考案の実施形態の他の例を示す。前述した例はパタ−等の振り方の良否は目に入るレ−ザ光束Ｆのパタ−からの反射光の有無で認識されるものであるが、この例はパタ−等からの反射光の有無を音に変換することで、耳で振り方の良否を認識出来るようにしたものである。この例もパッティング練習に関するのので、パタ−ヘッドＰの背面で、前面のボ−ルに当てるスポットの反対位置に反射テ−プＴを図のように貼付しておく。投光器Ａの光束Ｆを発射する窓１２の上に光センサ−１３が取付けられている。反射テ−プＴは入射光をその入射方向に反射する性質を有する再帰反射性テ−プである。投光器Ａから発射される光束Ｆが目標Ｂに当たるように投光器Ａをセットし、パタ−を構えたとき、パタ−ヘッドＰが正しい位置にあれば、反射テ−プＰからの反射光が投光器Ａに取付けられた光センサ１３に入射するから、光センサ１３の受光信号によってブザ−（不図示）が作動するようにしておくことで、練習者はパタ−ヘッドからの反射光を目視することなしに聴覚によりパタ−の構え方の良否を知ることが出来る。このようにしてパタ−を振りパタ−が正しい軌跡に沿って動かされゝば、ブザ−音は継続して聞こえるが、正しい軌跡から外れるとブザ−音が途切れるからパタ−の振り方の良否、また振り方の修正の効果も聴覚で確認できる。かくしてブザ−音が途切れること無しに聞こえるように練習すれば良いのである。これは単にパタ−の空振りする場合だけでなく、ボ−ルを置いて的に入れる練習をするときにおいても適用できる。ブザ−音はパタ−が光束Ｆから外れて光センサ１３からの受光信号が途絶えたとき警告音として発せられるようにしてもよい。
【００１２】
本考案はゴルフパッティングとかゲ−トボ−ルの練習だけでなくゴルフクラブ全般のスイング練習にも利用できる。図５はその様子を示す。このスイングではクラブヘッドをボ−ルに当てる前のバックスイングが重要である。このため本考案投光器を２個用いる。このスイングはクラブヘッドがゴルファの肩の辺りに中心を有し、軸方向が水平より後下がりに傾いた円の軌跡Ｘを画くのが望ましい。そこで二つの投光器Ａ，Ａ´夫々の放射する扇形光束Ｆ，Ｆ´が共にこの円に重なるように夫々を三脚上で傾けてセットする。二つの投光器が適正にセットされたか否かは、二つの投光器Ａ，Ａ´の間に衝立を立て、その衝立に投影される光束Ｆ，Ｆ´の線像が一致するようにし、且つ一致した線像が円軌跡Ｘの傾きと一致するようにすればよい。
【００１３】
上述のように投光器をセットして練習者はクラブの全体が光束Ｆ，Ｆ´で規定される面内に在るようにクラブを構え、常にこの面内に在るようにクラブをスイングする。クラブのシャフトの所々と、クラブヘッドのボ−ルを当てる位置およびその背面等にテ−プ（これは再帰反射性ではない）を貼付しておき、それらからの反射光が常に眼に入っているように自分のスイングを匡正することで正しいスイングを自習的に身につけることができるのである。
【００１４】上述した例はゴルフ練習に関するものであるが、始めに述べたように本考案器具はゲ−トボ−ルの練習にも使える。更にこれら球技の練習とは全く異なる分野でも利用できる。例えば壁面とか床に墨線代わりに直線を引くとか板などを切るときの案内線を引く代わりにすることが出来る。これは本考案がゴルフクラブに取付けるものではなく、任意の場所に置いて使用するようになっているからである。
【図面の簡単な説明】
【図１】本考案の実施形態の一例の用法を説明する図。
【図２】本考案の実施形態の一例における投光器の縦断側面を示す図。
【図３】上記の水平断面図。
【図４】本考案の実施形態の他の一例を示す投光器とパタ−ヘッドの斜視図。
【図５】本考案をゴルフクラブ全般のスイング練習に利用する場合の正面（ａ）および側面（ｂ）および投光器の傾け方（ｃ）を示す図。
【図１】
0003098202.tif 000003
【図２】
0003098202.tif 000004
【図３】
0003098202.tif 000005
【図４】
0003098202.tif 000006
【図５】
0003098202.tif 000007